(57)【要約】【課題】幼児が単一の歯がため装置を用いて、成長の段階に応じて、歯がため訓練をスムースに行なう。【解決手段】歯がため装置１０は、平板状をなし複数の第１突起部１３が設けられた第１表面１１ａを有する第１歯がため部材１１と、平板状をなし複数の第２突起部１６が設けられた第２表面１５ａを有する第２歯がため部材１５とを有している。第２歯がため部材１５は第１歯がため部材１１の周縁に、略平行に配置されている。第１歯がため部材１１の第１表面１１ａと、第２歯がため部材１５の第２表面１５ａの硬度は互いに相違する。【選択図】  図１
2004321238.tif 000002
【特許請求の範囲】
【請求項１】
平板状をなすとともに、複数の第１突起部が設けられた第１表面を有する第１歯がため部材と、
平板状をなすとともに、複数の第２突起部が設けられた第２表面を有する第２歯がため部材とを備え、
第２歯がため部材は第１歯がため部材の周縁に、第１歯がため部材と略平行にに配置され、
第１歯がため部材の第１表面と第２歯がため部材の第２表面は異なる硬度の材料からなることを特徴とする歯がため装置
【請求項２】
第１歯がため部材に空間が形成され、この空間は透明カバーにより覆われていることを特徴とする請求項１記載の歯がため装置。
【請求項３】
透明カバーにより覆われた空間内に複数のカラーボールが配置されていることを特徴とする請求項２記載の歯がため装置。
【請求項４】
透明カバーに水抜き用の開孔が設けられていることを特徴とする請求項２または３のいずれか記載の歯がため装置。
【請求項５】
第１歯がため部材に把持用開口が設けられていることを特徴とする請求項１乃至４のいずれか記載の歯がため装置。
【発明の詳細な説明】
【０００１】
【発明の属する技術分野】
本発明は幼児が歯がためを行なう際に用いられる歯がため装置に係り、とりわけ幼児の発展段階に応じて複数種類の歯がため装置を準備する必要のない歯がため装置に関する。
【０００２】
【従来の技術】
生後数ヶ月の幼児は、歯がための訓練を行なう必要がある。このような歯がための訓練を行なうため、従来より、いくつかの歯がため装置が用いられている（例えば特許文献１参照）。
【０００３】
【特許文献１】
特開２０００−２７９４８７号公報
【０００４】
【発明が解決しようとする課題】
上述のように、従来よりいくつかの歯がため装置が開発されている。ところで、幼児が歯がためを行なう時期は、軟質の歯がため装置を用いる段階から硬質の歯がため装置を用いる段階まで幼児の発展段階に応じて複数の段階からなり、各段階ごとに硬度の異なる歯がため装置を用いることが求められている。しかしながら各段階ごとに別個の歯がため装置を準備することは煩雑である。
【０００５】
本発明はこのような点を考慮してなされたものであり、幼児が歯がためを行なう各段階毎に硬度の異なる歯がため装置を準備する必要のない歯がため装置を提供することを目的とする。
【０００６】
【課題を解決するための手段】
本発明は、平板状をなすとともに、複数の第１突起部が設けられた第１表面を有する第１歯がため部材と、平板状をなすとともに、複数の第２突起部が設けられた第２表面を有する第２歯がため部材とを備え、第２歯がため部材は第１歯がため部材の周縁に、第１歯がため部材と略平行にに配置され、第１歯がため部材の第１表面と第２歯がため部材の第２表面は異なる硬度の材料からなることを特徴とする歯がため装置である。
【０００７】
本発明は、第１歯がため部材に空間が形成され、この空間は透明カバーにより覆われることを特徴とするものである。
【０００８】
本発明は、透明カバーにより覆われた空間内に複数のカラーボールが配置されていることを特徴とするものである。
【０００９】
本発明は、透明カバーに水抜き用の開孔が設けられていることを特徴とするものである。
【００１０】
本発明は、第１歯がため部材に把持用開口が設けられていることを特徴とするものである。
【００１１】
【発明の実施の形態】
以下、図面を参照して本発明の実施の形態について説明する。図１乃至図５は本発明による歯がため装置の一実施の形態を示す図である。
【００１２】
このうち図１は歯がため装置を示す斜視図、図２はその上面図、図３はその側面図、図４はその底面図、図５はその拡大側断面図である。
【００１３】
図１乃至図５に示すように、歯がため装置１０は幼児が歯がため訓練を行なう際用いるものである。このような歯がため装置１０は、平板状をなす第１歯がため部材１１と、その周縁に配置されるとともに、平板状をなす複数、例えば３個の第２歯がため部材１５とを備えている。
【００１４】
このうち第１歯がため部材１１は全体とし略円形状をなし、略中央に幼児が把持するための把持用開孔１２が設けられている。他方、各第２歯がため部材１５は楕円形状をなし、第１歯がため部材１１よりやや厚肉となって、第１歯がため部材１１の周縁に等間隔をおいて配置されている。
【００１５】
第１歯がため部材１１は表面１１ａと裏面１１ｂとを有し、これら表面１１ａおよび裏面１１ｂには第１突起部１３が設けられている。また、第２歯がため部材１５は表面１５ａと裏面１５ｂとを有し、これら表面１５ａと裏面１５ｂには第２突起部１６が設けられている。
【００１６】
このうち、第１歯がため部材１１の表面１１ａおよび裏面１１ｂは、第２歯がため部材１５の表面１５ａおよび裏面１５ｂと異なる材料からなっている。
【００１７】
本実施の形態において、第１歯がため部材１１の表面１１ａおよび裏面１１ｂの材料は、例えばＴＰＥ（熱可塑性エラストマー）からなり、その硬度（ＪＩＳＫ  ６２５３  Ａ）は８８°となっている。また第２歯がため部材１５の表面１５ａおよび裏面１５ｂの材料は、例えばＴＰＥからなり、その硬度（ＪＩＳ  Ｋ  ６２５３  Ａ）は６５°となっている。
【００１８】
このため第１歯がため部材１１の表面１１ａおよび裏面１１ｂは、第２歯がため部材１５の表面１５ａおよび裏面１５ｂより硬くなっている。
【００１９】
なお、本実施の形態において、第１歯がため部材１１の表面１１ａが第１表面となり、第２歯がため部材１５の表面１５ａが第２表面となる。
【００２０】
また、第１歯がため部材１１の第１突起部１３および第２歯がため部材１５の第２突起部１６には、いずれもに、円形状、線状等の様々な形状の様々な大きさの突起物が複数設けられており、その配置された突起物の大きさ、形状および数量は特に限定されない。
【００２１】
上述のように、第１歯がため部材１１の表面（第１表面）１１ａおよび裏面１１ｂの硬度は第２歯がため部材１５の表面（第２表面）１５ａおよび裏面１５ｂの硬度より硬質となっている。生後５ケ月の幼児はまず軟質の第２歯がため部材１５の表面１５ａおよび裏面１５ｂを噛むことにより歯がため訓練を行なうことができ、次に生後７ケ月の幼児は硬質の第１歯がため部材１１の表面１１ａおよび裏面１１ｂを噛むことにより歯がため訓練を行なうことができる。
【００２２】
なお、第１歯がため部材１１は全体として硬質の材料から構成されているが、表面１１ａのみ硬質の材料から構成し、裏面１１ｂを軟質の材料から構成してもよい。他方、第２歯がため部材１５は全体として軟質の材料から構成されているが、表面１５ａのみを軟質の材料とし裏面１５ｂを硬質の材料から構成してもよい。
【００２３】
ところで、第１歯がため部材１１には、把持用開口１２と周縁の間に空間２１が形成され、この空間２１は上側透明カバー１８と下側透明カバー１９とによって覆われている。
【００２４】
次に図５により、上側透明カバー１８と下側透明カバー１９の構造について述べる。図５に示すように第１歯がため部材１１に形成された空間２１は、上側透明カバー１８と下側透明カバー１９とによって覆われており、この空間２１内に複数のカラーボール２０が配置されている。
【００２５】
幼児が歯がため装置１０を移動させると、カラーボール２０が空間２１内で移動し、これによって幼児が楽しめるようになっている。
【００２６】
また下側透明カバー１９には水抜き用の複数の開孔１９ａが形成されている。なお、上側透明カバー１８と下側透明カバー１９の材料は、例えばＰＰ（ポリプロピレン）からなっている。
【００２７】
次に歯がため装置１０の製作工程について述べる。
【００２８】
まず、表面１１ａと裏面１１ｂとに第１突起部１３を有する第１歯がため部材１１と、表面１５ａと裏面１５ｂとに第２突起部１６を有する第２歯がため部材１５とを成形する。この場合、第１歯がため部材１１の表面１１ａおよび裏面１１ｂは、第２歯がため部材１５の表面１５ａおよび裏面１５ｂと材料が異なるため、第１歯がため部材１１と第２歯がため部材１５は二色成形により成形される。他方、上側透明カバー１８と下側透明カバー１９を準備しておく。
【００２９】
次に第１歯がため部材１１を挟んで、上方に上側透明カバー１８を配置し、下方に下側透明カバー１９を配置する。この場合、上側透明カバー１８と下側透明カバー１９との間の空間２１内に複数のカラーボール２０を配置しておく。
【００３０】
その後上側透明カバー１８と下側透明カバー１９を第１歯がため部材１１に超音波シールにより接合し、このようにして歯がため装置１０が得られる。
【００３１】
使用にあたっては、生後５ケ月の幼児は、まず軟質の第２歯がため部材１５の表面（第１表面）１５ａおよび裏面１５ｂを噛むことにより歯がため訓練を行なうことができる。
【００３２】
次に生後７ケ月の幼児は、硬質の第１歯がため部材１１の表面（第２表面）１１ａおよび裏面１１ｂを噛むことにより歯がため訓練を発展させることができる。また、第１歯がため部材１１の表面１１ａと裏面１１ｂの硬度を異ならせた場合、裏返して噛むことにより上下歯茎、上下唇および舌により多様な刺激を与えることができ、歯がため訓練をスムースに行なうことができる。
【００３３】
この間、幼児が歯がため装置１０を動かすことにより、空間２１内の複数のカラーボール２０が移動するため、幼児は歯がため装置１０をおもちゃとして楽しむこともできる。
【００３４】
幼児が長時間、歯がため装置１０を使用した後、歯がため装置１０は全体として煮沸消毒される。この場合、空間２１内へ蒸気が流入するが、この空間２１内の蒸気は水滴として開孔１９ａから放出される。
【００３５】
なお、開孔１９ａは空間２１内にカラーボール２０を動かす際、カラーボール２０が生じさせる音を反響させて良好な音色を出す機能も有する。
【００３６】
以上のように本実施の形態によれば、幼児は成長段階に応じて軟質の第２歯がため部材１５の表面１５ａおよび裏面１５ｂを噛む段階から硬質の第１歯がため部材１１の表面１１ａおよび裏面１１ｂを噛む段階へと進むことができる。このため幼児は単一歯がため装置を用いて成長段階に応じた歯がため訓練を行なうことができる。
【００３７】
【発明の効果】
以上のように本発明によれば、成長段階に応じて軟質の表面を噛む段階から硬質の表面を噛む段階へ進むことができる。このため幼児は、単一の歯がため装置を用いて成長の段階に応じて、歯がためをスムースに行なうことができる。
【図面の簡単な説明】
【図１】本発明による歯がため装置の一実施の形態を示す斜視図。
【図２】本発明による歯がため装置の一実施の形態を示す上面図。
【図３】本発明による歯がため装置の一実施の形態を示す一方向からみた側面図。
【図４】本発明による歯がため装置の一実施の形態を示す底面図。
【図５】本発明による歯がため装置の上側透明カバーと下側透明カバーを示す拡大側断面図。
【符号の説明】
１０  歯がため装置
１１  第１歯がため部材
１１ａ  表面
１１ｂ  裏面
１２  開口
１３  第１突起部
１５  第２歯がため部材
１５ａ  表面
１５ｂ  裏面
１６  第２突起部
１８  上側透明カバー
１９  下側透明カバー
１９ａ  開孔
２０  カラーボール
２１  空間
【図１】
2004321238.tif 000003
【図２】
2004321238.tif 000004
【図３】
2004321238.tif 000005
【図４】
2004321238.tif 000006
【図５】
2004321238.tif 000007